(57)【要約】【課題】胴回り及び脚回りに対するフィット性に優れた使い捨ておむつ及びその効率的な製造方法を提供すること。【解決手段】液透過性の表面シート、防漏シート及びこれら両シート間に介在された吸収体を具備する吸収性本体１と、その両側に設けられた一対のサイド部２，２とを備えた使い捨ておむつであり、サイド部２は、吸収性本体１の両側縁に沿っておむつ長手方向に延びるように形成されたレッグ伸縮部２ａと、おむつの背側部及び腹側部それぞれに、股下部の前記レッグ伸縮部よりもおむつ幅方向外方に延出するように形成されたサイドフラップ伸縮部２ｂとを有し、レッグ伸縮部２ａ及びサイドフラップ伸縮部２ｂは、何れも伸縮性シートからなり、レッグ伸縮部２ａは、おむつ長手方向に伸縮性を有し、かつおむつ幅方向に実質的に伸縮性を有さず、サイドフラップ伸縮部２ｂは、おむつ幅方向に伸縮性を有し、かつおむつ長手方向に実質的に伸縮性を有さない。【選択図】図１
2010119463.tif 000002
【特許請求の範囲】
【請求項１】
液透過性の表面シート、防漏シート及びこれら両シート間に介在された吸収体を具備する吸収性本体と、該吸収性本体の両側に設けられた一対のサイド部とを備えた使い捨ておむつであって、
前記サイド部は、前記吸収性本体の両側縁に沿っておむつ長手方向に延びるように形成されたレッグ伸縮部と、おむつの背側部及び腹側部それぞれに、股下部の前記レッグ伸縮部よりもおむつ幅方向外方に延出するように形成されたサイドフラップ伸縮部とを有し、
前記レッグ伸縮部及びサイドフラップ伸縮部は何れも伸縮性シートからなり、
前記レッグ伸縮部は、おむつ長手方向に伸縮性を有し、かつおむつ幅方向に実質的に伸縮性を有さず、
前記サイドフラップ伸縮部は、おむつ幅方向に伸縮性を有し、かつおむつ長手方向に実質的に伸縮性を有さない使い捨ておむつ。
【請求項２】
前記レッグ伸縮部は、全体又は一部をおむつ長手方向に伸長させた状態下に前記吸収性本体に固定されている、請求項１記載の使い捨ておむつ。
【請求項３】
前記サイド部それぞれにおける、前記レッグ伸縮部及び一対の前記サイドフラップ伸縮部が、該サイド部を構成する連続する一枚のシートに形成されている、請求項１又は２記載の使い捨ておむつ。
【請求項４】
前記レッグ伸縮部及び前記サイドフラップ伸縮部は、歯溝加工によって伸縮性が付与されている請求項１〜３の何れか記載の使い捨ておむつ。
【請求項５】
前記サイドフラップ伸縮部のおむつ幅方向の長さが、前記レッグ伸縮部のおむつ幅方向の長さよりも広い請求項１〜４の何れかに記載の使い捨ておむつ。
【請求項６】
おむつ背側部及び腹側部の前記サイドフラップ伸縮部は、それぞれの外縁部のおむつ長手方向の長さの合計（Ｌ１＋Ｌ２）が、前記外縁部間のおむつ長手方向の距離（Ｌ３）より短い、請求項１〜５の何れかに記載の使い捨ておむつ。
【請求項７】
請求項１〜６の何れかに記載の使い捨ておむつの製造方法であって、
連続搬送されている帯状シートの幅方向中央部に、歯溝加工を施してシート幅方向の伸縮性を付与する横延伸加工工程と、
連続搬送されている帯状シートの幅方向両端部に、歯溝加工を施してシート長手方向の伸縮性を付与する縦延伸加工工程と、
縦延伸加工工程及び横延伸加工工程後の帯状シートを、切断点を左右に往復させながら、シート長手方向に沿って切断する分割工程と、
前記分割工程により得られる２本のシートを、それぞれ、前記吸収性本体又は該吸収性本体の連続体に接合させるサイド部形成工程と、
を有する使い捨ておむつの製造方法。
【発明の詳細な説明】
【技術分野】
【０００１】
本発明は、使い捨ておむつ及びその製造方法に関する。
【背景技術】
【０００２】
従来の展開型の使い捨ておむつは、一般に、背側部にファスニングテープ、腹側部にランディングテープを有すると共に、股下部の脚回りに配される部分にレッグギャザーを有しており、着用者に装着する際に、ファスニングテープのファスニングテープに対する止着位置を調節して、胴回りや脚回りに対する締め付け具合を調節することができる。しかし、レッグギャザーは、帯状ないしひも状の弾性部材を、伸長状態で、実質的に非伸長性のシート材に接着剤で固定したものであり、収縮状態においては、シート材によってひだが形成されるギャザータイプの伸縮部であることもあり、胴回り及び脚回りの両者に適度なフィット性を得ることは必ずしも容易でない。
脚回りに伸縮性を付与する技術として、股下部の両側部に、おむつの長手方向及び幅方向の両方向に伸縮する伸縮部を形成することでフィット性を向上させる技術が知られてる（特許文献１参照）。
【０００３】
しかし、特許文献１の使い捨ておむつでは、股下部の両側部を構成する伸縮部材が、おむつ幅方向にも伸縮するため、装着時に、股下に伸縮部材が集中することになり、脚回りのフィット性を損なうことにもなる。
【０００４】
また、着用者の体へのフィット性を向上させるために、背側部の両側部に、おむつ幅方向のみに伸張する材料を用いる技術が開示されているが（例えば、特許文献２参照）、レッグ伸縮部と、背側部の両側部に設けた伸縮部との連動が十分ではなく、着用者の体に対するフィットが充分ではない。
また、着用者の体へのフィット性を向上させるために、背側部の両側部に、おむつ長手方向と幅方向の両方に伸縮する部材を用いる技術が開示されているが（例えば、特許文献３参照）。特許文献３の使い捨ておむつにおいても、レッグ伸縮部と、背側部の両側部に設けた伸縮部との連動が十分ではなく、着用者の体に対するフィットが充分ではない。
【０００５】
【特許文献１】特開２００１−８９６８号公報
【特許文献２】特開２００１−３０３９４号公報
【特許文献３】特開２００７−１７５３０２号公報
【発明の開示】
【発明が解決しようとする課題】
【０００６】
従って、本発明の目的は、胴回り及び脚回りに対するフィット性に優れた使い捨ておむつ及びその効率的な製造方法を提供することにある。
【課題を解決するための手段】
【０００７】
本発明は、液透過性の表面シート、防漏シート及びこれら両シート間に介在された吸収体を具備する吸収性本体と、該吸収性本体の両側に設けられた一対のサイド部とを備えた使い捨ておむつであって、前記サイド部は、前記吸収性本体の両側縁に沿っておむつ長手方向に延びるように形成されたレッグ伸縮部と、おむつの背側部及び腹側部それぞれに、股下部の前記レッグ伸縮部よりもおむつ幅方向外方に延出するように形成されたサイドフラップ伸縮部とを有し、前記レッグ伸縮部及びサイドフラップ伸縮部は何れも伸縮性シートからなり、前記レッグ伸縮部は、おむつ長手方向に伸縮性を有し、かつおむつ幅方向に実質的に伸縮性を有さず、前記サイドフラップ伸縮部は、おむつ幅方向に伸縮性を有し、かつおむつ長手方向に実質的に伸縮性を有さない使い捨ておむつを提供することにより前記目的を達成したものである。
【０００８】
また、本発明は、前記の使い捨ておむつの製造方法であって、連続搬送されている帯状シートの幅方向中央部に、歯溝加工を施してシート長手方向の伸縮性を付与する縦延伸加工工程と、連続搬送されている帯状シートの幅方向両端部に、歯溝加工を施してシート幅方向の伸縮性を付与する横延伸加工工程と、縦延伸加工工程及び横延伸加工工程後の帯状シートを、切断点を左右に往復させながら、シート長手方向に沿って切断する分割工程と、前記分割工程により得られる２本のシートを、それぞれ、前記吸収性本体又は該吸収性本体の連続体に接合させるサイド部形成工程と、を有する使い捨ておむつの製造方法を提供することにより前記目的を達成したものである。
【発明の効果】
【０００９】
本発明の使い捨ておむつは、胴回り及び脚回りに対するフィット性に優れている。
本発明の使い捨ておむつの製造方法によれば、そのような使い捨ておむつを効率的に製造することができる。
【発明を実施するための最良の形態】
【００１０】
以下、本発明を、その好ましい実施形態に基づいて図面を参照しながら説明する。
図１は、本発明の一実施形態である使い捨ておむつＳを表面シート１１側から見た状態を一部破断して示す平面図である。
この使い捨ておむつＳは、液透過性の表面シート１１、液不透過性又は撥水性の防漏シート１２及びこれら両シート間に介在された吸収体１３を具備する吸収性本体１と、該吸収性本体１の両側に設けられたサイド部２，２とを備えている。
使い捨ておむつＳは、その長手方向に、着用時に着用者の背側に配される背側部Ａと腹側に配される腹側部Ｂとその間に位置する股下部Ｃとを有している。
【００１１】
吸収性本体１は、縦長矩形状をなし、表面シート１１、防漏シート１２及び吸収体１３が一体化されてなる。表面シート１１、防漏シート１２及び吸収体１３としては、それぞれ、この種の物品に従来用いられている各種のものを特に制限なく用いることができる。例えば、表面シート１１としては各種の不織布や開孔フィルム等を用いることができ、防漏シート１２としては、樹脂フィルムやそれと不織布等との積層体等を用いることができ、吸収体１３としては、パルプ繊維等の繊維からなる繊維集合体（不織布の形態であっても良い）又はこれに吸水性ポリマーを担持させたものを、ティッシュペーパーや透水性の不織布からなるコアラップシートで被覆してなるもの等を用いることができる。吸収性本体１の長手方向の両側部に、肌側に向かって起立する防漏壁等を設けることもできる。
【００１２】
サイド部２，２は、図１に示すように、吸収性本体１の両側縁に沿っておむつ長手方向に延びるように形成されたレッグ伸縮部２ａと、おむつＳの背側部Ａ及び腹側部Ｂそれぞれに、股下部Ｃのレッグ伸縮部２ａよりもおむつ幅方向外方に延出するように形成されたサイドフラップ伸縮部２ｂとを有している。
使い捨ておむつＳは、いわゆる展開型の使い捨ておむつであり、背側部Ａの両側縁部にファスニングテープ１４，１４を有する一方、腹側部Ｂの外表面に、該ファスニングテープ１４，１４を止着するランディングテープ１５を有し、おむつを着用者に装着する際には、ファスニングテープ１４，１４を、それぞれ手で引っ張りながら、ランディングテープ１５に止着させて固定する。
【００１３】
レッグ伸縮部２ａは、縦長矩形状をなし、背側部Ａ、股下部Ｃ及び腹側部Ｂに亘って延びている。レッグ伸縮部２ａは、少なくとも股下部Ｃにおける吸収性本体１の両側それぞれに形成されていれば良いが、本実施形態においては、吸収性本体１の全長に亘って延びており、背側部Ａ及び腹側部Ｂそれぞれのおむつ幅方向における、サイドフラップ伸縮部２ｂの内側（吸収性本体１側）にも延在している。幼児用のおむつの場合、レ
ッグ伸縮部２ａは、股下部Ｃに、１０〜６０ｍｍの幅（より好ましくは２５〜４０ｍｍの幅）で、おむつ長手方向に１５０ｍｍ以上の長さに亘って存在していることが好ましい。成人用のおむつの場合、レッグ伸縮部２ａは、股下部Ｃに、２０〜８０ｍｍの幅（より好ましくは３０〜５０ｍｍの幅）で、おむつ長手方向に３００ｍｍ以上の長さに亘って存在していることが好ましい。
【００１４】
サイドフラップ伸縮部２ｂは、台形状をなし、背側部Ａ及び腹側部Ｂそれぞれに設けられている。サイドフラップ伸縮部２ｂの、レッグ伸縮部２ａからの延出長さＴａ，Ｔｂ（股下部の最小幅部分におけるレッグ伸縮部２ａの外縁位置からの延出長さ，図１参照）は、背側部Ａ及び腹側部Ｂの幅Ｗａ，Ｗｂに対して２〜２５％であることが好ましく、５〜１５％であることがより好ましい。
【００１５】
レッグ伸縮部２ａは、おむつ長手方向に伸縮性を有し、かつおむつ幅方向に実質的に伸縮性を有さない。一方、サイドフラップ伸縮部２ｂは、おむつ幅方向に伸縮を有しかつ長手方向に実質的に伸縮性を有さない。
レッグ伸縮部２ａは、おむつの長手方向（図１の上下方向）と同方向の最大伸度が１００％以上であり且つ該方向に伸度１００％まで伸長させた後、収縮させたときの伸長回復率（１００％伸長時の伸長回復率）が７０％以上であることが好ましい。また、レッグ伸縮部２ａは、おむつの幅方向（図１の左右方向）と同方向の最大伸度が２０％以下、特に１０％以下である（長さが１．１倍までしか伸びない）ことが好ましい。
他方、サイドフラップ伸縮部２ｂは、おむつの幅方向（図１の左右方向）と同方向の最大伸度が１００％以上であり且つ該方向に伸度１００％まで伸長させた後、収縮させたときの伸長回復率（１００％伸長時の伸長回復率）が７０％以上であることが好ましい。また、サイドフラップ伸縮部２ｂは、おむつの長手方向（図１の上下方向）と同方向の最大伸度が２０％以下、特に１０％以下である（長さが１．１倍までしか伸びない）ことが好ましい。
【００１６】
〔伸長回復率の測定方法〕
長さ７５ｍｍ、幅２５ｍｍの試験片を用意し、テンシロン装置を用いて、チャック間隔Ｌ0に試験片を固定し、該試験片をその長さ方向に３００ｍｍ／ｍｉｎの速度で１００％伸長時の長さＬ2（Ｌ2＝Ｌ0×２）まで伸長させた後、伸長時の速度と同じ速度でチャック間隔を狭める。そして、引張荷重が０になった時における試験片の長さを伸長回復後の長さＬ１とする。次式から１００％伸長時の伸長回復率を算出する。
１００％伸長時の伸長回復率（％）＝〔（Ｌ2−Ｌ1）／（Ｌ2−Ｌ0）〕×１００
【００１７】
〔破断伸度の測定方法〕
伸長回復率の測定方法に用いたサンプル片と同じ寸法のサンプル片を同様の条件で伸長させ、破断したときの伸度を破断伸度とする。
なお、試験片は、おむつの長手方向の最大伸度や伸長回復率を測定するときには、おむつ長手方向を試験片の長手方向に一致させ、おむつの幅方向の最大伸度や伸長回復率を測定するときには、おむつ幅方向を試験片の長手方向に一致させる。
【００１８】
レッグ伸縮部２ａ及びサイドフラップ伸縮部２ｂそれぞれは伸縮性シートからなる。
伸縮性シートは、非伸長性のシートに糸又は帯状の複数の弾性部材を伸長状態で固定てなる従来のギャザータイプの伸縮部とは異なり、自然状態においても、非伸長性のシートによるループ状のひだが形成されない。
伸縮性シートとしては、例えば、（１）弾性繊維の集合体からなる弾性繊維シートの両面又は片面に、伸長可能な繊維集合体が一体化されてなるシートや、（２）ネット状（網目状）若しくはフィルム状の弾性シートの両面又は片面に、伸長可能な繊維集合体が自然状態で一体化されてなるシート、（３）弾性繊維と伸長可能な繊維の混合集合体を不織布化して得られるシート等が好ましく用いられる。
【００１９】
前記（１）のシートについて説明する。
弾性繊維の集合体からなる弾性繊維シートの原料としては、例えば、スチレンブタジエンスチレンブロック共重合体（ＳＢＳ）、スチレンイソプレンスチレンブロック共重合体（ＳＩＳ）、スチレンエチレンブチレンスチレンブロック共重合体（ＳＥＢＳ）、スチレンエチレンプロピレンスチレンブロック共重合体（ＳＥＰＳ）等のスチレン系エラストマー、オレフィン系エラストマー、ポリエステル系エラストマー、ポリウレタン系エラストマー等の弾性原料を、一種単独で又は二種以上を組み合わせて用いることができる。弾性繊維の集合体からなる弾性繊維シートとしては、例えば、これらの弾性原料を溶融してスパンボンド法、メルトブローン法、スピニングブローン法により不織布化したものが用いられる。伸長可能な繊維集合体としては、例えば、各種製法による繊維ウエブや不織布に、特定方向に延びるスリットを分散させて多数形成して、前記特定方向に直交する方向に伸長可能としたものが挙げられる。
弾性繊維シートと伸長可能な繊維集合体との一体化方法としては、例えば、これらを積層して水流交絡等により繊維を交絡させる方法、接着剤や熱ロール等を用いてパターンを有して部分接合させる方法、非弾性繊維層の構成繊維の一部が弾性繊維層に入り込んだ状態で繊維交点の熱融着によって接合させる方法が挙げられる。
【００２０】
前記（２）のシートについて説明する。
ネット状の弾性シートとしては、例えば、弾性糸を少なくとも緯糸に用いてなる基盤目状のシート、弾性フィルムをスリットしてなる多数の弾性体を基盤目状に配してなる基盤目状のシートが挙げられる。フィルム状の弾性シートとしては、弾性原料を各種公知の方法によりフィルム状にしたもの等を用いることができる。弾性原料としては、記（１）のシートの説明中で前述したもの等を用いることができる。伸長可能な繊維集合体としては、前記（１）のシートにおける伸長可能な繊維集合体と同様のものを用いることができる。ネット状の弾性シートと伸長可能な繊維集合体との一体化方法としては、前記（１）のシートにおける一体化方法と同様の方法を用いることができる。
【００２１】
前記（３）のシートについて詳述する。前記（３）のシートとしては、前記（１）のシートにおける弾性繊維の集合体からなる弾性不織布シートを用いることができる。
【００２２】
使い捨ておむつＳにおいては、一対のサイド部２それぞれは、一枚の連続するサイド部形成シート２０によって形成されており、一対のサイド部２それぞれにおける、レッグ伸縮部２ａ及び一対のサイドフラップ伸縮部２ｂ，２ｂが、該サイド部形成シート２０に形成されている。即ち、サイド部形成シート２０には、伸縮方向が異なる２種類の伸縮部が形成されており、一方の伸縮部がレッグ伸縮部２ａを構成し、他方の伸縮部が一対のサイドフラップ伸縮部２ｂ，２ｂを構成している。
レッグ伸縮部２ａを構成する伸縮性シートと、サイドフラップ伸縮部２ｂを構成する伸縮性シートとを別々に製造し、それらを接着剤や熱融着で接合してサイド部形成用シートとすることもできるが、その場合には、レッグ伸縮部２ａとサイドフラップ伸縮部２ｂとがそれぞれ独立に変形する傾向が高くなる。
【００２３】
吸収性本体１とサイド部形成シート２０とは、図１及び図２に示すように、一側縁部どうしが重ねられて接合されることにより一体化されている。接合の方法としては、接着剤（ホットメルト型接着剤等）や熱融着等が挙げられる。
【００２４】
また、レッグ伸縮部２ａは、股下部Ｃに位置する部分をおむつ長手方向に伸長させた状態下に吸収性本体１に固定されている。従って、図１に示すように、おむつを平面状に拡げた状態においては、レッグ伸縮部２ａは長手方向に伸長した状態にあるが、着用者が、おむつを装着する際には、レッグ伸縮部２ａが収縮した状態にある。装着前に、レッグ伸縮部２ａが縮んでいると着用者が使い捨ておむつを着用した場合、レッグ伸縮部２ａが適度に伸びた状態で、着用者の脚廻りに当接するため、着用者の肌面とのフィット性に優れている。
【００２５】
使い捨ておむつＳにおける、レッグ伸縮部２ａ及びサイドフラップ伸縮部２ｂは、歯溝加工によって伸縮性が付与されている。具体的には、おむつＳの製造時に、図３に示すように、延伸により伸縮性が向上する原反シート２１に、縦延伸ロールＲ２により歯溝加工を施した後、横延伸ロールＲ３により歯溝加工を施し、縦延伸ロールＲ２により形成された伸縮部をレッグ伸縮部２ａとし、横延伸ロールＲ３により形成された伸縮部をサイドフラップ伸縮部２ｂとして用いている。
なお、延伸により伸縮性が向上する原反シートには、延伸前には伸縮性を有さず歯溝加工による延伸により伸縮性を発現するものと、延伸前にも多少の伸縮性を有し延伸により伸縮性が向上するものとの両者が含まれるが、延伸前には実質的に伸縮性を有さず延伸により伸縮性を発現するものが好ましい。延伸により伸縮性が向上する原反シートとしては、特開２００８−６１６９１号公報に記載のもの等を用いることができる。
【００２６】
本実施形態の使い捨ておむつＳによれば、胴回り部においては、サイドフラップ伸縮部２ｂがおむつ幅方向に伸縮し、脚廻り部においては、レッグ伸縮部２ａがおむつ長手方向に伸縮し、これらが一体化されているので、おむつ着用中に、両伸縮部が互いに連動しながら面で伸縮するため、おむつの胴回り部及び脚廻り部の両者に良好なフィット性が得られる。
【００２７】
特に、本実施形態の使い捨ておむつＳにおいては、レッグ伸縮部２ａを構成する伸縮性シートとサイドフラップ伸縮部２ｂを構成する伸縮性シートとがシート同士の接合部を介することなく連続してるため、一方の伸縮部の伸縮に他方の伸縮部の伸縮が大きく影響し、一体的に変形するようになり、おむつの胴回り部及び脚廻り部の両者に一層確実に良好なフィット性が得られる。
なお、本発明においては、レッグ伸縮部２ａを構成する伸縮性シートと、サイドフラップ伸縮部２ｂを構成する伸縮性シートとを別々に製造し、それらを接着剤や熱融着で接合してサイド部形成用シートとすることもできるが、その場合には、レッグ伸縮部２ａとサイドフラップ伸縮部２ｂとがそれぞれ独立に変形する傾向が高くなる。
【００２８】
図３は、上述した使い捨ておむつＳの製造に好ましく用いられる装置を示す図である。図３に示す使い捨ておむつの製造方法においては、先ず、延伸により伸縮性が向上する帯状シート２１が、ロール状の原反２１ａから繰り出されて搬送され、その帯状シート２１が、縦延伸加工部Ｒ２における、周面に互いに噛み合う歯溝を有する一対の歯溝ロール間に導入される。
【００２９】
この縦延伸加工部Ｒ２では、帯状シート２１の幅方向両端部に、図５に示すように、一対の歯溝ロールによる歯溝加工が施され、それにより、帯状シート２１の幅方向両端部にシート長手方向の伸縮性が付与される（縦延伸加工工程）。この縦延伸加工部Ｒ２における一対の歯溝ロールそれぞれには、それぞれロール軸方向に沿って延びる多数本の凸条部Ｒ２ａが形成されており、各ロールの周方向における凸条部Ｒ２ａ間が溝となっている。凸条部Ｒ２ａは、一対の歯溝ロールそれぞれの軸方向に所定間隔を置いて２箇所に形成されている。
この縦延延伸加工により、帯状シート２１の一部が縦方向に延伸されて形成された伸縮部２ａ’，２ａ’は、シート長手方向に伸縮性を有し、かつシート幅方向に実質的に伸縮性を有しない。
【００３０】
縦延伸加工部Ｒ２で縦延伸加工を施された帯状シート２１は、次に横延伸加工部Ｒ３に送られ、該横延伸加工部Ｒ３に設けられた、周面に互いに噛み合う歯溝を有する一対の歯溝ロール間に導入される。
この横延伸加工部Ｒ３では、帯状シート２１の幅方向中央部に、一対の歯溝ロールにより歯溝加工が施され、それにより、帯状シート２１の幅方向中央部にシート幅方向の伸縮性が付与される（横延伸加工工程）。この横延伸加工部Ｒ３における一対の歯溝ロールそれぞれには、それぞれロール周方向に沿って延びる環状の凸条部Ｒ３ａが複数本形成されており、各ロールの軸方向における凸条部Ｒ３ａ間が溝となっている。凸条部Ｒ３ａは、ロール軸方向の中央付近に形成されている。この横延伸加工は、シートを幅方向に延伸させる横延伸加工であり、該加工により、帯状シート２１の幅方向中央部に、シートの幅方向に伸縮する伸縮部２ｂ’が形成される。この伸縮部２ｂ’は、シート幅方向に伸縮性を有し、かつシート長手方向に実質的に伸縮性を有しない。
横延伸加工部Ｒ３で横延伸加工を施された帯状シート２１は、分割部Ｒ４に送られる。
【００３１】
この分割部Ｒ４では、帯状シート２１が、周面に切断刃Ｒ４ａを有するダイカットロールと周面平滑なアンビルロールとの間に導入され、帯状シート２１の切断点（帯状シート２１が切断刃によって切断される点）を所定のパターンで周期的に左右に往復させながら、帯状シート２１が、シート長手方向に沿って切断される（分割工程）。より具体的には、帯状シート２１が、シート長手方向に沿って切断され、かつシート幅方向に梯子状に切断される。帯状シート２１は、分割部Ｒ４による切分加工により、略半分に分断され半シートＳ１，Ｓ２とされる。分断直後の半シートＳ１，Ｓ２を図４に示す。図４中、伸縮部２ａ’は、縦延伸加工が施されてシート長手方向の伸縮性が付与された部分であり、伸縮部２ｂ’は、横延伸加工が施されてシート幅方向の伸縮性が付与された部分である。
【００３２】
半シートＳ１及び半シートＳ２は、それぞれ、伸縮部２ａ’からなる略一定幅の帯状部分と、該帯状部分の長手方向に間欠的に形成された、伸縮部２ｂ’からなる台形状の突出部分とを有している。台形状の突出部分の突出高さＴ（図４参照）は、サイドフラップ伸縮部２ｂの、レッグ伸縮部２ａからの延出長さＴａ，Ｔｂと同一である。この台形状の突出部分の突出高さＴは、帯状シート２１の全幅に対して１／３以上とすることが好ましい。
【００３３】
次いで、図３に示すように、半シートＳ１，Ｓ２は、一対の吸収性本体の連続体１’との一体化部Ｒ６に送られる。分割部Ｒ４と一体化部Ｒ６との間には、半シートＳ１と半シートＳ２の位置を入れ替えると共に、半シートＳ１，Ｓ２どうしの位相を合わせるための位置・位相調整部Ｒ５が設けられている。一体化部Ｒ６には、位置・位相調整部Ｒ５により、図３に示すように、位置及び位相を調整された半シートＳ１，Ｓ２が導入されると共に、吸収性本体１が長手方向に連なった構成の吸収性本体の連続体１’が導入され、一体化部Ｒ６において、連続体１’の両側部に、半シートＳ１，Ｓ２がそれぞれ貼り合わされる。一体化部Ｒ６における一体化は、例えば、半シートＳ１，Ｓ２における、連続体１’側の一側縁部及び／又連続体１’の側縁部に予め接着剤を塗工しておき、両者を重ねた後に、ロールで加圧して行う。また、半シートＳ１，Ｓ２と連続体１’との接合は、半シートＳ１，Ｓ２をそれぞれ流れ方向にやや伸長させた状態で行う。半シートＳ１，Ｓ２は、台形状の突出部分を有しない部分、即ち、おむつの股下部Ｃに配される部分が主として伸長した状態で連続体１’に固定される。
【００３４】
一体化部Ｒ６における一体化後の複合体は、次いで、流れ方向に所定の間隔で幅方向に亘って切断され、個々の使い捨ておむつＳに分離される。この切断は、半シートＳ１，Ｓ２それぞれの台形状の突出部分を前後に２分するように行う。また、ファスニングテープ１４，１４やランディングテープ１５の固定等は適宜の段階で公知の方法により行うことができる。
このようにして、図１に示される使い捨ておむつＳが得られる。
使い捨ておむつＳにおいては、おむつ一個分の長さに切断された半シートＳ１，Ｓ２が、サイド部形成シート２０を構成している。また、半シートＳ１，Ｓ２の伸縮部２ａ’によってレッグ伸縮部２ａが形成され、半シートＳ１，Ｓ２の伸縮部２ｂ’によって、サイドフラップ伸縮部２ｂ，２ｂが形成されている。
【００３５】
おむつ背側部Ａ及び腹側部Ｂのサイドフラップ伸縮部２ｂは、図６に示すように、それぞれの外縁部のおむつ長手方向の長さの合計（Ｌ１＋Ｌ２）が、前記外縁部間のおむつ長手方向の距離（Ｌ３）より短いことが好ましい。おむつ着用時の装着性が良いからである。
【００３６】
以上、本発明の好ましい実施形態について説明したが、本発明はそれらの実施形態に制限されず、適宜変更可能である。
例えば、レッグ伸縮部２ａは、股下部の両側部のみに存在していても良い。また、レッグ伸縮部２ａを、おむつの全長に亘って形成する場合、レッグ伸縮部２ａの股下部に位置する部分のみを、吸収性本体１に伸長状態で固定することもできるし、レッグ伸縮部２ａの、おむつの全長に亘る全長を長手方向に伸長状態として吸収性本体１に固定することもできる。
また、使い捨ておむつの製造方法において、半シートＳ１，Ｓ２を、吸収性本体の連続体１’に代えて切断後の吸収性本体１に接合することもできる。
【００３７】
また、上述した使い捨ておむつＳの製造方法の一実施態様においては、帯状シートの幅方向中央部に対する横延伸加工を、帯状シートの幅方向両端部に対する縦延伸加工後に行ったが、帯状シートの幅方向中央部に対する横延伸加工を、帯状シートの幅方向両端部に対する縦延伸加工の前に行うこともできる。また、帯状シートの幅方向中央部に対する横延伸加工と帯状シートの幅方向中央部に対する横延伸加工とを同時に行うこともできる。
【図面の簡単な説明】
【００３８】
【図１】図１は、本発明の一実施形態である使い捨ておむつを表面シート側から見た状態を一部破断して示す平面図である。
【図２】図２は、図１の使い捨ておむつの吸収性本体とサイド部とを分離した状態を示す分解図である。
【図３】図３は、本発明の使い捨ておむつの製造方法に用いる製造装置の一例を示す説明図である。
【図４】図４は、分割工程直後の半シートを示す平面図である。
【図５】図５は、帯状シートに縦延伸加工を施す様子を示す説明図である。
【図６】図６は、本発明の使い捨ておむつの好ましい寸法を説明するための説明図である。
【符号の説明】
【００３９】
１  吸収性本体
２  サイド部
２ａ  レッグ伸縮部
２ｂ  サイドフラップ伸縮部
２１  帯状シート（延伸により伸縮性が向上するシート）
Ｒ２  縦延伸加工部
Ｒ３  横延伸加工部
Ｒ４  分割部
Ｒ５  位置・位相調整部
Ｒ６  一体化部
Ｓ  使い捨ておむつ
Ｓ１，Ｓ２  半シート
１’  吸収性本体の連続体
【図１】
2010119463.tif 000003
【図２】
2010119463.tif 000004
【図３】
2010119463.tif 000005
【図４】
2010119463.tif 000006
【図５】
2010119463.tif 000007
【図６】
2010119463.tif 000008